(57)【要約】【課題】物理キーを操作することなく設定値の変更を行うことが可能な貯蔵庫を提供する。【解決手段】貯蔵庫１０は、タッチパネル４２を備える貯蔵庫１０であって、箱状の冷却庫本体１２と、冷却庫本体１２の内部を冷却可能な冷却装置５０と、少なくとも冷却装置５０の作動を制御する制御部４８と、を備え、制御部４８は、冷却条件に基づき冷却装置５０を作動させる冷却運転制御部（冷却制御手段）７２と、冷却条件の設定値１４０をタッチパネル４２の表示画面４４に表示させる表示制御部（設定値表示制御手段）８８と、表示された設定値１４０を変更するための設定値変更処理部（変更手段）１００と、を備え、設定値変更処理部（変更手段）１００は、表示された設定値１４０が選択されたことを検知するステップＡと、選択された設定値１４０を増加させるための増加ボタン１６４、設定値１４０を減少させるための減少ボタン１６６、及び、増減後の設定値１４０を確定させるための確定ボタン１６８を表示画面４４に表示させるものとしている。【選択図】図７
2019086249.tif 000002
【特許請求の範囲】
【請求項１】
タッチパネルを備える貯蔵庫であって、
箱状の冷却庫本体と、
前記冷却庫本体の内部を冷却可能な冷却装置と、
少なくとも前記冷却装置の作動を制御する制御部と、を備え、
前記制御部は、
冷却条件に基づき前記冷却装置を作動させる冷却制御手段と、
前記冷却条件の設定値を前記タッチパネルの表示画面に表示させる設定値表示制御手段と、
表示された前記設定値を変更するための変更手段と、を備え、
前記変更手段は、
表示された前記設定値が選択されたことを検知するステップＡと、
選択された前記設定値を増加させるための増加ボタン、前記設定値を減少させるための減少ボタン、及び、増減後の前記設定値を確定させるための確定ボタンを前記表示画面に表示させるステップＢと、を備える貯蔵庫。
【請求項２】
前記制御部は、
冷却の強さがそれぞれ異なる複数の冷却モードのうち、いずれか一つを選択する冷却モード選択手段を備え、
前記冷却モード選択手段は、
前記複数の冷却モードの冷却モード名を前記表示画面に表示させるステップＣと、
表示された複数の前記冷却モード名のいずれか一つが選択されたことを検知するステップＤと、
選択された前記冷却モード名を、前記表示画面に新たに表示させるステップＥと、を備える請求項１に記載の貯蔵庫。
【請求項３】
前記設定値は、少なくとも庫内温度設定値、芯温度設定値、及び運転時間設定値を構成要素としており、
前記制御部は、
前記冷却庫本体の内部の庫内温度データを取得する庫内温度データ取得手段と、
食材の芯温度データを取得する芯温度データ取得手段と、
貯蔵庫の冷却運転時間データを取得する運転時間データ取得手段と、
取得した前記庫内温度データが前記庫内温度設定値となるまで前記冷却制御手段を実行する庫内制御モードと、取得した前記芯温度データが前記芯温度設定値となるまで前記冷却庫本体の内部を冷却する芯温制御モードと、取得した前記冷却運転時間データが前記運転時間設定値となるまで前記冷却庫本体の内部を冷却するタイマー制御モードと、のいずれか一つの制御モードを選択する制御モード選択手段と、を備え、
前記制御モード選択手段は、
前記庫内制御モードの制御モード名、前記芯温制御モードの制御モード名、及び前記タイマー制御モードの制御モード名を前記表示画面にそれぞれ表示させるステップＦと、
表示されたそれぞれの前記制御モード名のいずれか一つが選択されたことを検知するステップＧと、
選択された前記制御モード名を前記表示画面に新たに表示させるステップＨと、を備える請求項２に記載の貯蔵庫。
【請求項４】
前記制御部は、
メニューの名称、メニュー毎に定められた前記冷却モードの情報、メニュー毎に定められた前記制御モードの情報、及びメニュー毎に定められた前記設定値の情報を有する複数のメニューリストを記憶するメニューリスト記憶手段と、
前記複数のメニューリストのうち少なくとも一つのメニューリストを前記表示画面に表示させるメニューリスト表示制御手段と、を備え、
前記メニューリスト表示制御手段は、前記表示画面に、前記メニューの名称、当該メニューに対して定められた前記冷却モードの情報、及び、当該メニューに対して定められた前記制御モードの情報をそれぞれ表示させる請求項３に記載の貯蔵庫。
【請求項５】
前記冷却庫本体の内部を加熱するヒータと、
前記冷却庫本体の内部の水分を排水する排水口と、
前記排水口から排水された水分を受け止めるドレンパンと、
前記排水口に水分が流れることを阻止する排水キャップと、を備え、
前記制御部は、
前記ヒータを作動させ、前記冷却装置に付着した霜を除去する除霜制御手段と、
前記ヒータを作動させ、前記冷却庫本体の内部を乾燥させる乾燥制御手段と、
前記ヒータを作動させ、前記冷却庫本体の内部を除菌可能な温度まで昇温させる除菌制御手段と、
前記乾燥制御手段、及び、前記除菌制御手段の少なくとも一方を実行するお手入れ制御手段と、を備え、
前記お手入れ制御手段は、
前記表示画面に、前記お手入れ制御手段を実行することを示すお手入れボタンを表示させるステップＩと、
前記お手入れボタンが選択されたことを検知するステップＪと、
前記ステップＪの実行後、前記表示画面に、前記除霜制御手段を実行したかの確認文、前記ドレンパンで受け止められた水分を除去したかの確認文、及び、前記排水キャップを取り外したかの確認文を表示させるステップＫと、
前記ステップＫの実行後、前記乾燥制御手段、及び、前記除菌制御手段の選択が可能な画面を表示させるステップＬと、を備える請求項１から請求項４のいずれか一項に記載の貯蔵庫。
【請求項６】
前記制御部は、
前記冷却装置について異常を検知する異常検知手段と、
検知された前記異常が、前記冷却装置の運転の継続が可能な異常であるか否かを判断する異常状況判断手段と、
検知された前記異常が前記冷却装置の運転の継続が可能な異常と判断した場合、ユーザに警告を行う第１の警告手段と、
検知された前記異常が前記冷却装置の運転の継続が不可能な異常と判断した場合、ユーザに警告を行う第２の警告手段と、を備え、
前記第１の警告手段は、
第１の警告音を鳴らすステップＭと、
前記表示画面に、前記異常の内容を表示させるための第１の詳細ボタンを表示させるステップＮと、
前記第１の詳細ボタンが押されたことを検知するステップＯと、
前記ステップＮの実行後、前記表示画面に前記異常の対処方法を表示するステップＰと、を備え、
前記第２の警告手段は、
前記第１の警告音とは異なる第２の警告音を鳴らすステップＱと、
前記表示画面に、前記冷却装置が異常停止した事を表示させるステップＲと、
前記異常の内容を表示させるための第２の詳細ボタンを表示させるステップＳと、
前記第２の詳細ボタンが押されたことを検知するステップＴと、
前記ステップＲの実行後、前記表示画面に製造元に連絡する旨の警告を表示させるステップＵと、を備える請求項１から請求項５のいずれか一項に記載の貯蔵庫。
【発明の詳細な説明】
【技術分野】
【０００１】
本発明は、貯蔵庫に関する。
【背景技術】
【０００２】
従来の貯蔵庫として、例えば特許文献１に記載の冷却庫が知られている。この冷却庫の前面には、表示画面を有する操作パネルが取り付けられ、表示画面には、冷却庫の設定値が表示されている。
【先行技術文献】
【特許文献】
【０００３】
【特許文献１】特開２０１４−２２２１２７号公報
【発明の概要】
【発明が解決しようとする課題】
【０００４】
一般的に、設定値の変更をするには、操作パネルに設けられた上下の物理キーを操作する必要がある。
【０００５】
本発明は、上記事情に鑑みてなされたもので、上下の物理キーを操作することなく設定値の変更を行うことが可能な貯蔵庫の提供を目的の一つとしている。
【課題を解決するための手段】
【０００６】
上記課題を解決するために、本発明の貯蔵庫は、タッチパネルを備える貯蔵庫であって、箱状の冷却庫本体と、前記冷却庫本体の内部を冷却可能な冷却装置と、少なくとも前記冷却装置の作動を制御する制御部と、を備え、前記制御部は、冷却条件に基づき前記冷却装置を作動させる冷却制御手段と、前記冷却条件の設定値を前記タッチパネルの表示画面に表示させる設定値表示制御手段と、表示された前記設定値を変更するための変更手段と、を備え、前記変更手段は、表示された前記設定値が選択されたことを検知するステップＡと、選択された前記設定値を増加させるための増加ボタン、前記設定値を減少させるための減少ボタン、及び、増減後の前記設定値を確定させるための確定ボタンを前記表示画面に表示させるものとしている。
表示画面上に表示された変更したい設定値を押すと、設定値の増減が可能な増加ボタン及び減少ボタンが表示されるため、従来のように、貯蔵庫に設定値を増減させる物理ボタンを設ける必要がなくなる。
【０００７】
また、前記制御部は、冷却の強さがそれぞれ異なる複数の冷却モードのうち、いずれか一つを選択する冷却モード選択手段を備え、前記冷却モード選択手段は、前記複数の冷却モードの冷却モード名を前記表示画面に表示させるステップＣと、表示された複数の前記冷却モード名のいずれか一つが選択されたことを検知するステップＤと、選択された前記冷却モード名を、前記表示画面に新たに表示させるステップＥと、を備えるものとすることができる。
選択された冷却モードの冷却モード名が表示画面に新たに表示されるため、ユーザがどの冷却モードを選択したのかが視覚的にわかりやすくなる。
【０００８】
また、前記設定値は、少なくとも庫内温度設定値、芯温度設定値、及び運転時間設定値を構成要素としており、前記制御部は、前記冷却庫本体の内部の庫内温度データを取得する庫内温度データ取得手段と、食材の芯温度データを取得する芯温度データ取得手段と、貯蔵庫の冷却運転時間データを取得する運転時間データ取得手段と、取得した前記庫内温度データが前記庫内温度設定値となるまで前記冷却制御手段を実行する庫内制御モードと、取得した前記芯温度データが前記芯温度設定値となるまで前記冷却庫本体の内部を冷却する芯温制御モードと、取得した前記冷却運転時間データが前記運転時間設定値となるまで前記冷却庫本体の内部を冷却するタイマー制御モードと、のいずれか一つの制御モードを選択する制御モード選択手段と、を備え、前記制御モード選択手段は、前記庫内制御モードの制御モード名、前記芯温制御モードの制御モード名、及び前記タイマー制御モードの制御モード名を前記表示画面にそれぞれ表示させるステップＦと、表示されたそれぞれの前記制御モード名のいずれか一つが選択されたことを検知するステップＧと、選択された前記制御モード名を前記表示画面に新たに表示させるステップＨと、を備えるものとすることができる。
選択された制御モードの制御モード名が表示画面に新たに表示されるため、ユーザがどの制御モードを選択したのかを、視覚的に分かり易くすることができる。
【０００９】
また、前記制御部は、メニューの名称、メニュー毎に定められた前記冷却モードの情報、メニュー毎に定められた前記制御モードの情報、及びメニュー毎に定められた前記設定値の情報を有する複数のメニューリストを記憶するメニューリスト記憶手段と、前記複数のメニューリストのうち少なくとも一つのメニューリストを前記表示画面に表示させるメニューリスト表示制御手段と、を備え、前記メニューリスト表示制御手段は、前記表示画面に、前記メニューの名称、当該メニューに対して定められた前記冷却モードの情報、及び、当該メニューに対して定められた前記制御モードの情報をそれぞれ表示するものとすることができる。
表示画面にメニューリストが表示されると、メニューの名称、冷却モードの情報、制御モードの情報が一覧で表示されるため、ユーザは、メニューごとにどのように冷却するのかを把握することができる。特に、複数のメニューリストを列挙して表示するものとすれば、複数のメニュー毎に冷却モードの情報、制御モードの情報を一覧で把握することが可能となる。
【００１０】
前記冷却庫本体の内部を加熱するヒータと、前記冷却庫本体の内部の水分を排水する排水口と、前記排水口から排水された水分を受け止めるドレンパンと、前記排水口に水分が流れることを阻止する排水キャップと、を備え、前記制御部は、前記ヒータを作動させ、前記冷却装置に付着した霜を除去する除霜制御手段と、前記ヒータを作動させ、前記冷却庫本体の内部を乾燥させる乾燥制御手段と、前記ヒータを作動させ、前記冷却庫本体の内部を除菌可能な温度まで昇温させる除菌制御手段と、前記乾燥制御手段、及び、前記除菌制御手段の少なくとも一方を実行するお手入れ制御手段と、を備え、前記お手入れ制御手段は、前記表示画面に、前記お手入れ制御手段を実行することを示すお手入れボタンを表示させるステップＩと、前記お手入れボタンが選択されたことを検知するステップＪと、前記ステップＪの実行後、前記表示画面に、前記除霜制御手段を実行したかの確認文、前記ドレンパンで受け止められた水分を除去したかの確認文、及び、前記排水キャップを取り外したかの確認文を表示させるステップＫと、前記ステップＫの実行後、前記乾燥制御手段、及び、前記除菌制御手段の選択が可能な画面を表示させるステップＬと、を備えるものとすることができる。
乾燥運転又は除菌運転を実行する前に、行うべき必要事項が表示画面に表示されるため、ユーザが誤って必要事項を行わずに乾燥運転又は除菌運転を実行してしまうことを防止できる。
【００１１】
また、前記制御部は、前記冷却装置について異常を検知する異常検知手段と、検知された前記異常が、前記冷却装置の運転の継続が可能な異常であるか否かを判断する異常状況判断手段と、検知された前記異常が前記冷却装置の運転の継続が可能な異常と判断した場合、ユーザに警告を行う第１の警告手段と、検知された前記異常が前記冷却装置の運転の継続が不可能な異常と判断した場合、ユーザに警告を行う第２の警告手段と、を備え、前記第１の警告手段は、第１の警告音を鳴らすステップＭと、前記表示画面に、前記異常の内容を表示させるための第１の詳細ボタンを表示させるステップＮと、前記第１の詳細ボタンが押されたことを検知するステップＯと、前記ステップＮの実行後、前記表示画面に前記異常の対処方法を表示するステップＰと、を備え、前記第２の警告手段は、前記第１の警告音とは異なる第２の警告音を鳴らすステップＱと、前記表示画面に、前記冷却装置が異常停止した事を表示させるステップＲと、前記異常の内容を表示させるための第２の詳細ボタンを表示させるステップＳと、前記第２の詳細ボタンが押されたことを検知するステップＴと、前記ステップＲの実行後、前記表示画面に製造元に連絡する旨の警告を表示させるステップＵと、を備えるものとすることができる。
冷却装置の運転に異常があった場合、ステップＮでは対処方法が表示され、ステップＳでは製造元に連絡する旨の警告が表示されるため、ユーザは、異常の都度、取扱説明書を見る手間を省くことができる。
【発明の効果】
【００１２】
本発明によれば、物理キーを操作することなく設定値の変更を行うことが可能な貯蔵庫を提供することができる。
【図面の簡単な説明】
【００１３】
【図１】実施形態に係る貯蔵庫の正面図
【図２】正面視からの各装置の配置を示す貯蔵庫の断面図
【図３】側面視からの各装置の配置を示す貯蔵庫の断面図
【図４】貯蔵庫の電気的構成を示すブロック図
【図５】冷却運転前における冷却設定画面の図
【図６】冷却設定画面における設定値編集中の図
【図７】冷却設定画面における設定値編集中の図
【図８】冷却運転中の冷却設定画面の図
【図９】メニューリスト表示画面の図
【図１０】メニューリスト表示画面の図
【図１１】お手入れ前の確認画面の図
【図１２】お手入れ設定画面の図
【図１３】運転継続可能な異常検知後の設定値表示画面の図
【図１４】異常対処方法表示後の設定値表示画面の図
【図１５】運転継続不可能な異常検知後の設定値表示画面の図
【図１６】製造元に連絡する旨の警告画面の図
【発明を実施するための形態】
【００１４】
本実施形態の貯蔵庫１０について、図１から図１６を参照しつつ説明する。以降の説明では、図３のＸ方向を前方、図１から図３のＺ方向を上方、図１及び図２のＹ方向を右方とする。
【００１５】
貯蔵庫１０は、食材を短時間で冷却する急速冷却庫（所謂、ブラストチラー）であって、図３に示すように、前面が開口した断熱箱体製の冷却庫本体１２と、冷却庫本体１２に開閉可能に取り付けられた扉１４と、冷却庫本体１２の下方に設けられた操作パネル４０と、操作パネル４０の下方に設けられた機械室３０と、を備えている。また、貯蔵庫１０は、冷却庫本体１２の内部を冷却する冷却装置５０を備えており、冷却装置５０は、圧縮機５２、凝縮器５４、減圧器、及び冷却器５８を有している。
【００１６】
冷却庫本体１２内の左側には、図１に示すように、箱形状をなす冷却器ケース１６が設けられている。冷却器ケース１６の右側は、食材を収納するトレーを載置する載置棚２２が配された貯蔵室２０とされている。
【００１７】
冷却器ケース１６は、両側面が開口しており、図２に示すように、内部に冷却器５８が配されている。冷却器５８は、所謂、蒸発器であって、所定の間隔で前後方向に並べられた複数の板状のフィンと、複数の板状のフィンを貫通するように配されており、多重に折り返した形状をなす冷媒管とから構成されている。冷却器５８の右側には、図２に示すように、庫内ファン１７が上下に２つ設けられている。冷却器ケース１６には、庫内ファン１７を冷却器５８とは反対側から覆うように、庫内ファンカバー１８が装着されている。庫内ファンカバー１８には、２つの庫内ファン１７と対応する位置に、それぞれ通風口が開口して設けられている。庫内ファン１７が作動すると、冷却庫本体１２の貯蔵室２０から通風口を通って、冷却器５８に向けて風が送風される。
【００１８】
機械室３０は、図３に示すように、前面が開口しており、開口部を覆うように、前方からエアフィルタ３２が装着されている。機械室３０内に、凝縮器５４、圧縮機５２、及び減圧器が配されている。凝縮器５４は、機械室３０の開口部付近に配されており、凝縮器５４の後面側には、凝縮器ファン５６が設けられている。凝縮器ファン５６は、凝縮器５４を空冷するファンであり、凝縮器ファン５６が作動すると、機械室３０の前方から、エアフィルタ３２を通って、凝縮器５４に風が送風される。圧縮機５２は、凝縮器ファン５６の後方に配されている。
【００１９】
圧縮機５２、凝縮器５４、減圧器、及び冷却器５８は、冷媒管により接続されている。圧縮機５２、凝縮器５４、及び減圧器により、圧縮、凝縮及び減圧された冷媒は、冷却器５８に送られる。冷媒が冷却器５８内の冷媒管を通過すると、冷媒が気化されて周囲の熱を奪い、冷却器５８の周囲が冷却される。冷却器５８により冷却された内気は、庫内ファン１７により冷却庫本体１２内を循環し、冷却庫本体１２内が冷却される。冷却器５８を通過した冷媒は、再度、圧縮機５２に戻され、冷凍サイクルが構成される。
【００２０】
冷却器５８の右側面側には、図２に示すように、ヒータ６０が設けられている。ヒータ６０が作動すると、冷却器５８に付着した霜が融解し、霜が除去される。また、冷却庫本体１２の内部を加熱し、内部の温度を昇温させる。
【００２１】
冷却庫本体１２の内部には、冷却庫本体１２の内部の温度を検知する庫内温度センサ２４、及び食材の芯温を検知する芯温センサ２６が設けられ（図４参照）、冷却庫本体１２の開口部には、扉１４の開閉を検知する扉開閉センサ２８が設けられている（図４参照）。芯温センサ２６は、温度を検知可能な棒状の検知部を有しており、検知部を食材に差し込むことで、食材の芯温を検知する。芯温センサ２６は、最大４つまで貯蔵庫１０に接続することができる。
【００２２】
図２に示すように、冷却庫本体１２の底面の中央部には、庫内の水分を排水するための排水口３３が開口して設けられており、冷却庫本体１２の底面は、排水口３３に向かって傾斜するテーパ面となっている。また、図２に示すように、排水口３３には排水口３３に栓をする樹脂製の排水キャップ３４が庫内側から着脱可能に取り付けられている。排水キャップ３４は庫内を冷却する時にユーザによって取り付けられ、庫内を乾燥及び除菌する時にユーザによって取り外される。排水口３３から流れた水分は、図示しないドレンパンに溜められる。
【００２３】
操作パネル４０は、図１、図３に示すように、板状をなし、前後方向に方形状に開口する開口部を有しており、開口部には、タッチパネル４２が取り付けられている。タッチパネル４２は、前面に視覚情報を表示可能となっており、ユーザは、タッチパネル４２の表示画面４４に表示された文字、画像等を指等で押圧することで、貯蔵庫１０に対して情報を入力することが可能となっている。また、操作パネル４０には、データの入出力が可能なＵＳＢポート２７が設けられている。
【００２４】
操作パネル４０の後方には、図２、図３に示すように、コントロールボックス４６が設けられており、コントロールボックス４６の内部には、制御部４８が設けられている。制御部４８は、所謂、マイコンボードであって、図４に示すように、演算部６２、記憶部（メニューリスト記憶手段）６３、及び、プログラム記憶部６４を備えている。プログラム記憶部６４には、貯蔵庫１０の制御プログラムが記憶されている。
【００２５】
制御部４８と、圧縮機５２、凝縮器ファン５６、庫内ファン１７、及びヒータ６０とは電気的に接続されており、制御部４８から各装置を制御可能となっている。また、図４に示すように、制御部４８には、タッチパネル４２、庫内温度センサ２４、芯温センサ２６、ＵＳＢポート２７、扉開閉センサ２８、及び音を発生させるスピーカ２９が電気的に接続されている。
【００２６】
プログラム記憶部６４には、図４に示すように、運転制御部７０、データ取得部８０、表示制御部（設定値表示制御手段）８８、モード選択処理部９４、設定値変更処理部（変更手段）１００、メニューリスト処理部（メニューリスト表示制御手段）１０２、お手入れ処理部（お手入れ制御手段）１０６、及び異常処理部１０８の各プログラムが記憶されている。
【００２７】
運転制御部７０は、貯蔵庫１０の運転を制御するプログラムであって、冷却運転の制御をする冷却運転制御部（冷却制御手段）７２と、除霜運転の制御をする除霜運転制御部（除霜制御手段）７４と、乾燥運転の制御をする乾燥運転制御部（乾燥制御手段）７６と、除菌運転の制御をする除菌運転制御部（除菌制御手段）７８と、を備えている。
【００２８】
冷却運転制御部７２は、庫内ファン１７及び冷却装置５０の圧縮機５２及び凝縮器ファン５６に作動信号を送信し、冷却庫本体１２の内部を設定温度になるまで冷却する運転の制御を行う。また、冷却運転制御部７２は、冷却庫本体１２の内部の温度を、設定温度で保冷する運転の制御を行う。
【００２９】
データ取得部８０は、センサ情報データ及び時間情報データを取得するプログラムであって、庫内温度センサ２４から温度データを取得する庫内温度データ取得部（庫内温度データ取得手段）８２と、芯温センサ２６から温度データを取得する芯温度データ取得部（芯温度データ取得手段）８４と、運転開始からの経過時間を取得する運転時間データ取得部（運転時間データ取得手段）８６と、を備えている。
【００３０】
冷却運転制御部７２では、冷却の強さの異なる３つの冷却モード１２０のうち、選択された一つの冷却モード１２０により、冷却運転の制御がなされる。冷却モード１２０は、ソフトチル１２２、ハードチル１２４、及びショックフリーズ１２６より構成される。ソフトチル１２２は、冷却する強さが最も弱く、ショックフリーズは、冷却する強さが最も強く設定されている。
【００３１】
冷却運転制御部７２では、庫内制御モード１３２、芯温制御モード１３４、及びタイマー制御モード１３６からなる制御モード１３０のうち、選択された一つの制御モード１３０により、冷却運転の制御がなされる。庫内制御モード１３２は、庫内温度データ取得部８２より取得した庫内温度データの値が庫内温度設定値１４２になるまで冷却庫本体１２の内部を冷却する制御であり、芯温制御モード１３４は、芯温度データ取得部８４により取得した芯温度データの値が芯温度設定値１４４になるまで冷却庫本体１２の内部を冷却する制御であり、タイマー制御モード１３６は、運転時間データ取得部８６により取得した運転時間データの値が運転時間設定値１４６になるまで冷却庫本体１２の内部を冷却する制御である。
【００３２】
除霜運転制御部７４は、ヒータ６０に作動信号を送信し、冷却器５８に付着した霜をヒータ６０の熱で溶解させる運転制御を行う。
【００３３】
乾燥運転制御部７６は、庫内ファン１７及びヒータ６０に作動信号を送信し、ヒータ６０で加熱された内気を庫内ファン１７で巡回させることで、冷却庫本体１２の内部を乾燥させる運転制御を行う。この際、乾燥を促進させるため、図示しないものの、冷却庫本体１２の内部に外気を取込む吸気口を開閉する吸気バルブ、及び、冷却庫本体１２の外部に内気を送り出す排気口を開閉する排気バルブを開放する制御も併せて行う。乾燥運転は、乾燥運転時間設定値１８８で設定された時間が経過するまで行われる。
【００３４】
除菌運転制御部７８は、庫内ファン１７及びヒータ６０に作動信号を送信し、ヒータ６０で加熱された内気を庫内ファン１７で巡回させることで、冷却庫本体１２の内部を除菌温度（一般的に８０℃）まで昇温させる運転制御を行う。この際、吸気バルブ、及び、排気バルブを閉じる制御も併せて行うことで、冷却庫本体１２の内部の温度を昇温させ易くしている。除菌運転は、除菌運転時間設定値１９０で設定された時間が経過するまで行われる。
【００３５】
表示制御部８８は、タッチパネル４２の表示画面４４に、庫内温度設定値１４２、芯温度設定値１４４、及び運転時間設定値１４６、風速設定値１４８等の各設定値１４０、並びに後述するメニューリスト１５０を表示させる制御を行うプログラムである。また、表示制御部８８は、その他、画像、文字情報等を表示画面４４に表示させる制御も行う。
【００３６】
ユーザがタッチパネル４２を操作して冷却運転の設定を行う際、表示画面４４には、図５に示す冷却設定画面３００が表示される。モード選択処理部９４、制御モード選択処理部９８、及び設定値変更処理部１００は、冷却設定画面３００において、実行されるプログラムである。
【００３７】
モード選択処理部９４は、冷却モード選択処理部（冷却モード選択手段）９６、及び、制御モード選択処理部（制御モード選択手段）９８からなるプログラムであり、このうち、冷却モード選択処理部９６は、ユーザに対して、タッチパネル４２から冷却モード１２０の選択をさせるプログラムである。モード選択処理部９４では、先ず、図５に示すように、ソフトチル１２２、ハードチル１２４、及びショックフリーズ１２６の各冷却モード１２０の名称を、表示画面４４に表示させる（ステップＣ）。次に、表示された冷却モード１２０の各名称のうち、ユーザが押して選択した冷却モード１２０の名称を検知する（ステップＤ）。本実施形態では、ソフトチル１２２が選択されたものとする。次に、表示画面４４の選択冷却モード表示部１６０に、選択されたソフトチル１２２の名称を表示させる（ステップＥ）。これにより、選択冷却モード表示部１６０に、「ソフトチル」の文字が新たに表示される。
【００３８】
制御モード選択処理部９８は、ユーザに対して、タッチパネル４２から制御モード１３０の選択をさせるプログラムである。制御モード選択処理部９８では、先ず、図５に示すように、芯温制御モード１３４、タイマー制御モード１３６、及び庫内制御モード１３２の各制御モード１３０の名称を、表示画面４４に表示させる（ステップＦ）。次に、表示された制御モード１３０の各名称のうち、ユーザに表示画面４４上で選択された制御モード１３０の名称を検知する（ステップＧ）。本実施形態では、芯温制御モード１３４が選択されたものとする。次に、表示画面４４の選択制御モード表示部１６２に、選択された芯温制御モード１３４の名称を表示させる（ステップＨ）。これにより、選択制御モード表示部１６２に、「芯温」の文字が新たに表示される。
【００３９】
設定値変更処理部１００は、ユーザのタッチパネル４２の操作により、各設定値１４０を変更するプログラムである。図５に示すように、表示画面４４には、冷却運転時の芯温度設定値１４４Ａ及び保冷運転時の芯温度設定値１４４Ｂ、冷却運転時の庫内温度設定値１４２Ａ及び保冷運転時の庫内温度設定値１４２Ｂ、並びに、冷却運転時の風速設定値１４８Ａ及び保冷運転時の風速設定値１４８Ｂがそれぞれ表示されている。また、表示画面４４内の下方には、機器設定ボタン１７２、マルチ運転ボタン１７４、機能ボタン１７６、お手入れボタン１７８、及び予冷ボタン１８０からなる各種ボタン群１７０が表示されている（ステップＩ）。
【００４０】
設定値変更処理部１００では、先ず、表示画面４４に表示されている各設定値１４０のうち、ユーザに選択された設定値１４０を検知する（ステップＡ）。ユーザが設定値１４０を選択する際は、図６に示すように、ユーザが指４００で表示画面４４を押して選択をする。本実施形態では、冷却運転時の芯温度設定値１４４Ａが選択されたものとする。選択された冷却運転時の芯温度設定値１４４Ａは、図７に示すように、四角で囲まれており、選択されたことが視覚的に分かり易くなっている。なお、四角の内部の色を反転させることにより、選択された設定値１４０をさらに強調させても良い。次に、図７に示すように、表示画面４４に表示されている各種ボタン群１７０を非表示にさせ、さらに、上矢印の増加ボタン１６４、下矢印の減少ボタン１６６及び、確定ボタン１６８からなる設定値変更ボタン群１６３を表示画面４４内の下方に表示させる（ステップＢ）。例えば、図７に示すように、増加ボタン１６４が３回押されると、設定値変更処理部１００は、冷却運転時の芯温度設定値１４４Ａを「−２℃」から「−５℃」に変更し、さらに、表示画面４４に変更された冷却運転時の芯温度設定値１４４Ａを表示させる。同様に、減少ボタン１６６が３回押されると、設定値変更処理部１００は、冷却運転時の芯温度設定値１４４Ａを「−５℃」から「−２℃」に変更し、さらに、表示画面４４に変更された冷却運転時の芯温度設定値１４４Ａを表示させる。次に、確定ボタン１６８が押されると、冷却運転時の芯温度設定値１４４Ａを確定し、設定値変更ボタン群１６３を非表示にさせ、各種ボタン群１７０を表示させる。
【００４１】
冷却運転が開始されると、図８に示すように、表示画面４４の各種ボタン群１７０が非表示にされ、表示画面４４に「冷却中」の文字が表示される。冷却運転中においても、表示画面４４に表示されている設定値１４０の変更が可能となっており、ユーザが変更したい設定値１４０の表示箇所を押すと、表示画面４４に設定値変更ボタン群１６３が表示される。
【００４２】
メニューごとに異なる冷却条件で冷却運転をさせる場合、ユーザは、図９に示すプログラム運転設定画面３０２で設定を行う。プログラム運転設定画面３０２では、メニューごとの冷却条件が記憶されたメニューリスト１５０が表示される。メニューリスト処理部１０２は、表示画面４４にメニューリスト１５０を表示させるプログラムである。
【００４３】
メニューリスト１５０は、メニューごとの冷却条件が記憶されたリストであって、メニューの名称１５２、冷却モード１２０の設定情報、制御モード１３０の設定情報、及び設定値１４０の設定情報を構成要素としている。メニューリスト１５０は、パーソナルコンピュータ等の外部の端末で作成され、メニューリスト１５０ごとにＮｏ．が振られて管理されている。外部の端末で作成されたメニューリスト１５０は、ＵＳＢメモリを介して、記憶部６３に記憶される。
【００４４】
Ｎｏ．０１のメニューリスト１５０Ａ、Ｎｏ．０２のメニューリスト１５０Ｂ、及びＮｏ．０３のメニューリスト１５０Ｃの各項目は、以下の様に設定されているものとする。
Ｎｏ．０１のメニューの名称１５２Ａ＝サカナ
Ｎｏ．０１の冷却モード１２０の設定情報＝ソフトチル１２２
Ｎｏ．０１の制御モード１３０の設定情報＝芯温制御モード１３４
Ｎｏ．０２のメニューの名称１５２Ｂ＝ハンバーグ１
Ｎｏ．０２の冷却モード１２０の設定情報＝ショックフリーズ１２６
Ｎｏ．０２の制御モード１３０の設定情報＝芯温制御モード１３４
Ｎｏ．０３のメニューの名称１５２Ｃ＝ハンバーグ２
Ｎｏ．０３の冷却モード１２０の設定情報＝ハードチル１２４
Ｎｏ．０３の制御モード１３０の設定情報＝タイマー制御モード１３６
メニューリスト処理部１０２が実行されると、図９に示すように、Ｎｏ．０１のメニューリスト１５０Ａ、Ｎｏ．０２のメニューリスト１５０Ｂ、及びＮｏ．０３のメニューリスト１５０Ｃが表示される。ここで、表示画面４４に表示されるのは、メニューリスト１５０の各構成要素のうち、メニューの名称１５２、冷却モード１２０の設定情報、及び制御モード１３０の設定情報の３つの情報である。なお、Ｎｏ．０４以降のメニューリスト１５０がある場合、表示画面４４に表示されている左右のスピンボタン１８４を押すことで、メニューリスト１５０の表示範囲を変更することができ、Ｎｏ．０４以降のメニューリスト１５０を確認することができる。
【００４５】
メニューリスト１５０の設定値１４０の設定情報を確認する場合は、確認したいメニューリスト１５０を表示画面４４上で選択してから設定内容確認ボタン１８２を押すと、選択したメニューリスト１５０の冷却設定画面３００が表示され、設定値１４０の設定情報を確認することができる。
【００４６】
ユーザがメニューの名称１５２を設定しない場合、図１０に示すように、メニューの名称１５２は、デフォルトの名称に設定される。例えば、Ｎｏ．０１のメニューリスト１５０Ａの場合、メニューの名称１５２Ａは「メニュー０１」と設定される。また、例えば、Ｎｏ．０２のメニューリスト１５０Ｂに冷却条件が設定されていない場合、図１０に示すように、冷却モード１２０の設定情報、及び制御モード１３０の設定情報は、表示画面４４に表示されない。これにより、ユーザは、冷却モード１２０の設定情報、及び制御モード１３０の設定情報の表示の有無により、メニューリスト１５０の設定の有無を確認することができる。
【００４７】
お手入れ処理部１０６は、乾燥運転及び除菌運転の少なくとも一方を行うことで、冷却庫本体１２の内部をお手入れするプログラムである。お手入れ処理部１０６では、先ず、図５に示すように、冷却設定画面３００に表示されているお手入れボタン１７８が押されたことを検知する（ステップＪ）。次に、表示画面４４に表示されている冷却設定画面３０５を、図１１に示すお手入れ前確認画面３０４を表示させる（ステップＫ）。お手入れ前確認画面３０４には、乾燥運転及び除菌運転の前に、除霜運転及び冷却庫本体１２の内部の水洗いを行ったかの確認を促す「霜取運転を行い、庫内の水洗いは終わっていますか？」の文、及び、その説明図が表示されている。また、ドレンパンで受け止められた水分の除去を促す「ドレンパンの水を捨ててください」の文、及び、その説明図が表示されている。また、排水キャップ３４を取り外しの確認を促す「排水キャップを外し、ドアを閉めてください。」の文が表示されている。次に、お手入れ前確認画面３０４内の右下に表示されているお手入れＯＫボタン１８６が押されたことを検知するとお手入れＯＫボタン１８６が押されたことを検知すると、図１２に示すお手入れ画面３０６を表示させる（ステップＬ）。
【００４８】
お手入れ画面３０６では、図１２に示すように、乾燥運転及び除菌運転の選択が可能となっている。お手入れ画面３０６には、乾燥運転設定ボタン１９２、除菌運転設定ボタン１９４、及び自動電源ＯＦＦ設定ボタン１９６が表示されている。乾燥運転設定ボタン１９２には「しない」と表示されており、乾燥運転は行わないことを意味する。一方、除菌運転設定ボタン１９４には「する」と表示されており、除菌運転を行うことを意味する。また、自動電源ＯＦＦ設定ボタン１９６には「する」と表示されており、運転完了後に自動的に貯蔵庫１０の電源を落とす設定が有効になっている。また、「する」及び「しない」を切替えるには、それぞれのボタンを１回押すことで切替えることができる。
【００４９】
お手入れ画面３０６には、乾燥運転時間設定値１８８、及び、除菌運転時間設定値１９０が表示されている。表示されている乾燥運転時間設定値１８８の値、及び、除菌運転時間設定値１９０が押されると、設定値変更ボタン群１６３が表示され、それぞれの設定値を変更することができる。設定後にスタートボタン１９８が押されると、お手入れ処理が開始される。
【００５０】
異常処理部１０８は、貯蔵庫１０の冷却装置５０の運転時に生じた異常の検知、及び、ユーザに対して異常が生じたことを警告するプログラムであって、異常を検知する異常検知部（異常検知手段）１１０、検知された異常が運転継続可能な異常か不可能な異常かを判断する異常状況判断部（異常状況判断手段）１１２、及び、表示画面４４に警告を表示する警告表示部１１４を備えている。また、警告表示部１１４は、第１の警告表示部（第１の警告手段）１１６及び第２の警告表示部（第２の警告手段）１１８から構成されており、第１の警告表示部１１６は、検知された異常が運転継続可能な異常である場合に実行され、第２の警告表示部１１８は、検知された異常が運転継続不可能な異常である場合に実行される。ここで、運転継続可能な異常とは、ユーザが適切な処置を施すことで回避可能な異常のことであり、運転継続不可能な異常とは、冷却装置５０の故障等、修理が必要な異常のことである。
【００５１】
運転継続可能な異常の一例として、排水キャップ３４を外し忘れた状態で乾燥運転を行った場合の異常処理部１０８の動作について説明する。先ず、乾燥運転の際、異常検知部１１０が、排水キャップ３４が外されていないことを検知する。次に、スピーカ２９から第１の警報音を５秒間発生させると共に（ステップＭ）、図１３に示すように、表示画面４４の右上に第１の詳細ボタン２００を表示させる（ステップＮ）。第１の詳細ボタン２００には、「点検２３「乾燥異常」」と記載されており、乾燥異常であることをユーザに警告している。また、第１の詳細ボタン２００の色は、オレンジ色で表示されているものとする。次に、第１の詳細ボタン２００が押されたことを検知すると（ステップＯ）、図１４に示すように、表示画面４４の上に、対処方法が記載された対処方法表示部２０２を表示させる（ステップＰ）。対処方法表示部２０２には、「排水キャップを外し忘れていませんか？繰り返し表示される場合は、販売会社に連絡してください。」と記載されており、排水キャップ３４が外されていないことをユーザに警告している。
【００５２】
運転継続不可能な異常の一例として、運転中に凝縮器ファンロックに異常が生じて運転が異常停止した場合の異常処理部１０８の動作について説明する。先ず、異常検知部１１０が、凝縮器ファンロックの異常を検知する。次に、スピーカ２９から第２の警告音を発生させる（ステップＱ）。第２の警告音は、５秒間で音を停止させる第１の警告音と異なり、停止させずに鳴らし続ける。次に、図１５に示すように、表示画面４４の異常表示部２０６に、「異常停止」の文字を表示させる（ステップＲ）。次に、図１５に示すように、表示画面４４の右上に第２の詳細ボタン２０４を表示させる（ステップＳ）。第２の詳細ボタン２０４の色は、赤色で表示されているものとする。このように、運転継続不可能な異常については、警告音及び詳細ボタンの色を、運転継続可能な異常の場合と異なるものにすることで、ユーザは、どちらの異常かをすぐに理解できるようになっている。次に、第２の詳細ボタン２０４が押されたことを検知すると（ステップＴ）、図１６に示すように、販売会社（製造元）に連絡する旨の警告が表示された警告画面３０８を表示させる（ステップＵ）。
【００５３】
本実施形態によれば、以下の作用、効果を奏する。
本実施形態の貯蔵庫１０は、タッチパネル４２を備える貯蔵庫１０であって、箱状の冷却庫本体１２と、冷却庫本体１２の内部を冷却可能な冷却装置５０と、少なくとも冷却装置５０の作動を制御する制御部４８と、を備え、制御部４８は、冷却条件に基づき冷却装置５０を作動させる冷却運転制御部（冷却制御手段）７２と、冷却条件の設定値１４０をタッチパネル４２の表示画面４４に表示させる表示制御部（設定値表示制御手段）８８と、表示された設定値１４０を変更するための設定値変更処理部（変更手段）１００と、を備え、設定値変更処理部（変更手段）１００は、表示された設定値１４０が選択されたことを検知するステップＡと、選択された設定値１４０を増加させるための増加ボタン１６４、設定値１４０を減少させるための減少ボタン１６６、及び、増減後の設定値１４０を確定させるための確定ボタン１６８を表示画面４４に表示させるものとしている。
本実施形態によれば、表示画面４４上に表示された変更したい設定値１４０を押すと、設定値１４０の増減が可能な増加ボタン１６４及び減少ボタン１６６が表示されるため、従来のように、貯蔵庫に設定値を増減させる物理ボタンを設ける必要がなくなる。
【００５４】
また、制御部４８は、冷却の強さがそれぞれ異なる複数の冷却モード１２０のうち、いずれか一つを選択する冷却モード選択処理部（冷却モード選択手段）９６を備え、冷却モード選択処理部（冷却モード選択手段）９６は、複数の冷却モード１２０の冷却モード名を表示画面４４に表示させるステップＣと、表示された複数の冷却モード名のいずれか一つが選択されたことを検知するステップＤと、選択された冷却モード名を、表示画面４４に新たに表示させるステップＥと、を備えるものとすることができる。
選択された冷却モード１２０の冷却モード名が表示画面４４に新たに表示されるため、ユーザがどの冷却モード１２０を選択したのかが視覚的にわかりやすくなる。
【００５５】
また、設定値１４０は、少なくとも庫内温度設定値１４２、芯温度設定値１４４、及び運転時間設定値１４６を構成要素としており、制御部４８は、冷却庫本体１２の内部の庫内温度データを取得する庫内温度データ取得部（庫内温度データ取得手段）８２と、食材の芯温度データを取得する芯温度データ取得部（芯温度データ取得手段）８４と、貯蔵庫の冷却運転時間データを取得する運転時間データ取得部（運転時間データ取得手段）８６と、取得した庫内温度データが庫内温度設定値１４２となるまで冷却運転制御部（冷却制御手段）７２を実行する庫内制御モード１３２と、取得した芯温度データが芯温度設定値１４４となるまで冷却庫本体１２の内部を冷却する芯温制御モード１３４と、取得した冷却運転時間データが運転時間設定値１４６となるまで冷却庫本体１２の内部を冷却するタイマー制御モード１３６と、のいずれか一つの制御モード１３０を選択する制御モード選択処理部（制御モード選択手段）９８と、を備え、制御モード選択処理部（制御モード選択手段）９８は、庫内制御モード１３２の制御モード名、芯温制御モード１３４の制御モード名、及びタイマー制御モード１３６の制御モード名を表示画面４４にそれぞれ表示させるステップＦと、表示されたそれぞれの制御モード名のいずれか一つが選択されたことを検知するステップＧと、選択された制御モード名を表示画面４４に新たに表示させるステップＨと、を備えるものとすることができる。
選択された制御モード１３０の制御モード名が表示画面４４に新たに表示されるため、ユーザがどの制御モード１３０を選択したのかを、視覚的に分かり易くすることができる。
【００５６】
また、制御部４８は、メニューの名称１５２、メニュー毎に定められた冷却モード１２０の情報、メニュー毎に定められた制御モード１３０の情報、及びメニュー毎に定められた設定値１４０の情報を有する複数のメニューリスト１５０を記憶する記憶部（メニューリスト記憶手段）６３と、複数のメニューリスト１５０のうち少なくとも一つのメニューリスト１５０を表示画面４４に表示させるメニューリスト処理部（メニューリスト表示制御手段）１０２と、を備え、メニューリスト処理部（メニューリスト表示制御手段）１０２は、表示画面４４に、メニューの名称１５２、当該メニューに対して定められた冷却モード１２０の情報、及び、当該メニューに対して定められた制御モード１３０の情報をそれぞれ表示するものとすることができる。
表示画面４４にメニューリスト１５０が表示されると、メニューの名称１５２、冷却モード１２０の情報、制御モード１３０の情報が一覧で表示されるため、ユーザは、メニューごとにどのように冷却するのかを把握することができる。特に、複数のメニューリスト１５０を列挙して表示するものとすれば、複数のメニュー毎に冷却モード１２０の情報、制御モード１３０の情報を一覧で把握することが可能となる。
【００５７】
冷却庫本体１２の内部を加熱するヒータ６０と、冷却庫本体１２の内部の水分を排水する排水口３３と、排水口３３から排水された水分を受け止めるドレンパンと、排水口３３に水分が流れることを阻止する排水キャップ３４と、を備え、制御部４８は、ヒータ６０を作動させ、冷却装置５０に付着した霜を除去する除霜運転制御部（除霜制御手段）７４と、ヒータ６０を作動させ、冷却庫本体１２の内部を乾燥させる乾燥運転制御部（乾燥制御手段）７６と、ヒータ６０を作動させ、冷却庫本体１２の内部を除菌可能な温度まで昇温させる除菌運転制御部（除菌制御手段）７８と、乾燥運転制御部（乾燥制御手段）７６、及び、除菌運転制御部（除菌制御手段）７８の少なくとも一方を実行するお手入れ処理部（お手入れ制御手段）１０６と、を備え、お手入れ処理部（お手入れ制御手段）１０６は、表示画面４４に、お手入れ処理部（お手入れ制御手段）１０６を実行することを示すお手入れボタン１７８を表示させるステップＩと、お手入れボタン１７８が選択されたことを検知するステップＪと、ステップＪの実行後、表示画面４４に、除霜運転制御部（除霜制御手段）７４を実行したかの確認文、ドレンパンで受け止められた水分を除去したかの確認文、及び、排水キャップ３４を取り外したかの確認文を表示させるステップＫと、ステップＫの実行後、乾燥運転制御部（乾燥制御手段）７６、及び、除菌運転制御部（除菌制御手段）７８の選択が可能なお手入れ画面（画面）３０６を表示させるステップＬと、を備えるものとすることができる。
乾燥運転又は除菌運転を実行する前に、行うべき必要事項が表示画面４４に表示されるため、ユーザが誤って必要事項を行わずに乾燥運転又は除菌運転を実行してしまうことを防止できる。
【００５８】
また、制御部４８は、冷却装置５０について異常を検知する異常検知部（異常検知手段）１１０と、検知された異常が、冷却装置５０の運転の継続が可能な異常であるか否かを判断する異常状況判断部（異常状況判断手段）１１２と、検知された異常が冷却装置５０の運転の継続が可能な異常と判断した場合、ユーザに警告を行う第１の警告表示部（第１の警告手段）１１６と、検知された異常が冷却装置５０の運転の継続が不可能な異常と判断した場合、ユーザに警告を行う第２の警告表示部（第２の警告手段）１１８と、を備え、第１の警告表示部（第１の警告手段）１１６は、第１の警告音を鳴らすステップＭと、表示画面４４に、異常の内容を表示させるための第１の詳細ボタン２００を表示させるステップＮと、第１の詳細ボタン２００が押されたことを検知するステップＯと、ステップＮの実行後、表示画面４４に異常の対処方法を表示するステップＰと、を備え、第２の警告表示部（第２の警告手段）１１８は、第１の警告音とは異なる第２の警告音を鳴らすステップＱと、表示画面４４に、冷却装置５０が異常停止した事を表示させるステップＲと、異常の内容を表示させるための第２の詳細ボタン２０４を表示させるステップＳと、第２の詳細ボタン２０４が押されたことを検知するステップＴと、ステップＲの実行後、表示画面４４に製造元に連絡する旨の警告を表示させるステップＵと、を備えるものとすることができる。
冷却装置５０の運転に異常があった場合、ステップＮでは対処方法が表示され、ステップＳでは製造元に連絡する旨の警告が表示されるため、ユーザは、異常の都度、取扱説明書を見る手間を省くことができる。
【００５９】
＜他の実施形態＞
本発明は上記記述及び図面によって説明した実施形態に限定されるものではなく、例えば次のような実施形態も本発明の技術的範囲に含まれる。
（１）本実施形態では、増加ボタン１６４は上矢印のボタンとし、減少ボタン１６６は下矢印のボタンとしたが、ボタンのデザインはこれに限られることはなく、例えば、増加ボタンを左矢印のボタンとし、減少ボタンを右矢印のボタンとしても良い。
（２）本実施形態では、表示画面４４内の下方に増加ボタン１６４、減少ボタン１６６、及び確定ボタン１６８を表示させる構成としたが、表示画面４４内の下方でなくても良く、例えば、表示画面内の上方に表示させる構成としても良いし、ユーザが表示画面４４を押した箇所の付近（例えば、設定値の直ぐ下等）に表示させる構成としても良い。
（３）本実施形態では、貯蔵庫１０は急速冷却庫であることとしたが、貯蔵庫１０は、急速に冷却する機能を有さない冷蔵庫としても良い。
【符号の説明】
【００６０】
１０…貯蔵庫
１２…冷却庫本体
３３…排水口
３４…排水キャップ
４２…タッチパネル
４４…表示画面
４８…制御部
５０…冷却装置
６０…ヒータ
６３…記憶部（メニューリスト記憶手段）
７２…冷却運転制御部（冷却制御手段）
７４…除霜運転制御部（除霜制御手段）
７６…乾燥運転制御部（乾燥制御手段）
７８…除菌運転制御部（除菌制御手段）
８２…庫内温度データ取得部（庫内温度データ取得手段）
８４…芯温度データ取得部（芯温度データ取得手段）
８６…運転時間データ取得部（運転時間データ取得手段）
８８…表示制御部（設定値表示制御手段）
９６…冷却モード選択処理部（冷却モード選択手段）
９８…制御モード選択処理部（制御モード選択手段）
１００…設定値変更処理部（変更手段）
１０２…メニューリスト処理部（メニューリスト表示制御手段）
１０６…お手入れ処理部（お手入れ制御手段）
１１０…異常検知部（異常検知手段）
１１２…異常状況判断部（異常状況判断手段）
１１６…第１の警告表示部（第１の警告手段）
１１８…第２の警告表示部（第２の警告手段）
１２０…冷却モード
１３０…制御モード
１３２…庫内制御モード
１３４…芯温制御モード
１３６…タイマー制御モード
１４０…設定値
１４２…庫内温度設定値
１４４…芯温度設定値
１４６…運転時間設定値
１５０…メニューリスト
１５２…メニューの名称
１６４…増加ボタン
１６６…減少ボタン
１６８…確定ボタン
１７８…お手入れボタン
２００…第１の詳細ボタン
２０４…第２の詳細ボタン
３０６…お手入れ画面
【図１】
2019086249.tif 000003
【図２】
2019086249.tif 000004
【図３】
2019086249.tif 000005
【図４】
2019086249.tif 000006
【図５】
2019086249.tif 000007
【図６】
2019086249.tif 000008
【図７】
2019086249.tif 000009
【図８】
2019086249.tif 000010
【図９】
2019086249.tif 000011
【図１０】
2019086249.tif 000012
【図１１】
2019086249.tif 000013
【図１２】
2019086249.tif 000014
【図１３】
2019086249.tif 000015
【図１４】
2019086249.tif 000016
【図１５】
2019086249.tif 000017
【図１６】
2019086249.tif 000018